(57)【要約】【課題】ポンプランナーの停止時に呼び水用管体から吸込み室に流入させた水道水が、自吸式吸水ポンプの吸込み室に風呂水を吸い込ませための吸込み用管体から溢れでるのを阻止し得る自吸式吸水ポンプ装置及び洗濯機の提供。【解決手段】上記課題は、ポンプランナー５の回転時にそのポンプランナー５の回転により発生した負圧によって逆止弁１２の弁体部１２Ａが吸込み用管体９の出口側開口縁９Ｂから離れた状態になり、かつ、ポンプランナー５の停止時に逆止弁１２の弁体部１２Ａが吸込み用管体９の出口側開口縁９Ｂに押圧させられる状態にする押圧力を、逆止弁１２に働かせる押付手段２１を設けることにより、達成できる。【選択図】  図２
2006144620.tif 000002
【特許請求の範囲】
【請求項１】
モータを収納するモータ収納室と、前記モータの回転軸に連結させたポンプランナーを収納するポンプランナー室と、洗濯利用水を前記ポンプランナー室に導く吸込み室と、前記ポンプランナー室から送られてきた呼び水に含まれる空気を分離する気水分離室と、前記吸込み室に洗濯利用水を吸い込ませる吸込み用管体と、前記気水分離室に自吸用の呼び水を給水させる呼び水用管体と、前記ポンプランナー室から送られてきた前記洗濯利用水を外部に吐出させる吐出用管体と、前記吸込み用管体の出口側に設けられて前記洗濯利用水の逆流を防止するための逆止弁と少なくとも具備し、前記吸込み用管体の出口側開口縁を、その出口側開口縁の下側が前方に突出した状態となるように傾斜させた自吸式吸水ポンプ装置において、前記ポンプランナーの回転時にそのポンプランナーの回転により発生した負圧によって前記逆止弁の弁体部が前記吸込み用管体の出口側開口縁から離れた状態となって、かつ、前記ポンプランナーの停止時に前記逆止弁の弁体部が前記吸込み用管体の出口側開口縁に押圧させられる状態にする押圧力を前記逆止弁に働かせる押付手段を、前記逆止弁に設けたことを特徴とする自吸式吸水ポンプ装置。
【請求項２】
前記押付手段をコイルばねとすると共に、前記逆止弁における前記吸込み用管体の出口側開口縁に押圧する面とは反対側の面に筒状突起部を一体に設け、しかも、前記コイルばねの一端側を前記筒状突起部の外周若しくは内周に着脱可能に嵌合させ、かつ、前記コイルばねの他端側を前記吸込み室の内壁に圧接させることで、前記逆止弁に前記コイルばねを装着させるようにしたことを特徴とする請求項１記載の自吸式吸水ポンプ装置。
【請求項３】
前記押付手段をコイルばねとすると共に、前記逆止弁における前記吸込み用管体の出口側開口縁に押圧する面とは反対側の面に筒状凹部を設け、しかも、前記コイルばねの一端側を前記筒状凹部の内周に着脱可能に嵌合させ、かつ、前記コイルばねの他端側を前記吸込み室の内壁に圧接させることで、前記逆止弁に前記コイルばねを装着させるようにしたことを特徴とする請求項１記載の自吸式吸水ポンプ装置。
【請求項４】
前記吸込み用管体の出口側開口縁を楕円形状にし、かつ、その出口側開口縁の形状に合わせて前記逆止弁の弁体部分の形状を楕円形状にすると共に、前記押付手段を楕円筒状コイルばねとし、かつ、前記逆止弁における前記吸込み用管体の出口側開口縁に押圧する面とは反対側の面に楕円筒状突起部を設け、しかも、前記楕円筒状コイルばねの一端側を前記楕円筒状突起部の内周若しくは外周に着脱可能に嵌合させ、かつ、前記楕円筒状コイルばねの他端側を前記吸込み室の内壁に圧接させることで、前記逆止弁に前記楕円筒状コイルばねを装着させるようにしたことを特徴とする請求項１記載の自吸式吸水ポンプ装置。
【請求項５】
前記吸込み用管体の出口側開口縁を楕円形状にし、かつ、その出口側開口縁の形状に合わせて前記逆止弁の弁体部分の形状を楕円形状にすると共に、前記押付手段を楕円筒状コイルばねとし、かつ、前記逆止弁における前記吸込み用管体の出口側開口縁に押圧する面とは反対側の面に楕円筒状凹部を設け、しかも、前記楕円筒状コイルばねの一端側を前記楕円筒状凹部の内周に着脱可能に嵌合させ、かつ、前記楕円筒状コイルばねの他端側を前記吸込み室の内壁に圧接させることで、前記逆止弁に前記楕円筒状コイルばねを装着させるようにしたことを特徴とする請求項１記載の自吸式吸水ポンプ装置。
【請求項６】
前記押付手段を、逆止弁の弁体部内にインサート成形した比重の大きい重り部材若しくは前記吸込み用管体の出口側開口縁に押圧する部分以外の部分に貼着した比重の大きい重り部材としたことを特徴とする請求項１自吸式吸水ポンプ装置。
【請求項７】
洗濯槽内に水道水を給水するために水道水栓に連結される給水電磁弁と、この給水電磁弁から流出してきた水道水を前記洗濯槽内に導く水道水案内部材と、風呂水を前記洗濯槽内に給水する自吸式吸水ポンプ装置とを少なくとも具備し、かつ、前記給水電磁弁から流出してきた水道水の一部を前記自吸式吸水ポンプ装置の呼び水をして利用すると共に、前記自吸式吸水ポンプ装置の吐出用管体から流出してきた前記風呂水を前記洗濯槽内に導くようにした洗濯機において、前記自吸式吸水ポンプ装置を、モータを収納するモータ収納室と、前記モータの回転軸に連結させたポンプランナーを収納するポンプランナー室と、前記風呂水を前記ポンプランナー室に導く吸込み室と、前記ポンプランナー室から送られてきた呼び水に含まれる空気を分離する気水分離室と、前記吸込み室に前記風呂水を吸い込ませる吸込み用管体と、前記気水分離室に自吸用の呼び水を給水させる呼び水用管体と、前記ポンプランナー室から送られてきた前記風呂水を外部に吐出させる吐出用管体と、前記吸込み用管体の出口側開口縁に設けられて前記風呂水の逆流を防止するための逆止弁と、前記ポンプランナーの回転時にそのポンプランナーの回転により発生した負圧により前記逆止弁の弁体部が前記吸込み用管体の出口側開口縁から離れた状態となって、かつ、前記ポンプランナーの停止時に前記逆止弁の弁体部が前記吸込み用管体の出口側開口縁に押圧させられる状態にする押圧力を前記逆止弁に働かせるところの押付手段とを少なくとも具備し、前記吸込み用管体の出口側開口縁を、その出口側開口縁の下側が前方に突出した状態となるように傾斜させてなる自吸式吸水ポンプ装置としたことを特徴とする洗濯機。
【発明の詳細な説明】
【技術分野】
【０００１】
本発明は、風呂水などの洗濯利用水を洗濯槽に給水する自吸式吸水ポンプ装置及びこの自吸式吸水ポンプ装置を具備した洗濯機に関するものである。
【背景技術】
【０００２】
従来、風呂水などの洗濯利用水を洗濯槽に給水する自吸式吸水ポンプ装置としては、モータを収納するモータ収納室と、前記モータの回転軸に連結させたポンプランナーを収納するポンプランナー室と、洗濯利用水を前記ポンプランナー室に導く吸込み室と、前記ポンプランナー室から送られてきた呼び水に含まれる空気を分離する気水分離室と、前記吸込み室に洗濯利用水を吸い込ませる吸込み用管体と、前記気水分離室に自吸用の呼び水を給水させる呼び水用管体と、前記ポンプランナー室から送られてきた前記洗濯利用水を外部に吐出させる吐出用管体と、前記吸込み用管体の出口側に設けられて前記洗濯利用水の逆流を防止させる逆止弁を備え、前記吸込み用管体の出口側開口縁を、その出口側開口縁の下側が前方に突出した状態となるように傾斜させたようにしたものが、知られていた（例えば、特許文献１参照）。
【０００３】
さらに、従来、洗濯機としては、水道水栓に連結された給水電磁弁と、この給水電磁弁から流出してきた水道水を洗濯槽内に導く水道水案内部材と、風呂水を前記洗濯槽内に給水する自吸式吸水ポンプ装置とを少なくとも備え、前記給水電磁弁から流出してきた水道水の一部を前記自吸式吸水ポンプ装置の呼び水として利用すると共に、前記自吸式吸水ポンプ装置の吐出用管体及び呼び水用管体から流出してきた水道水若しくは風呂水を前記洗濯槽内に導くようにした自吸式吸水ポンプ装置付きの洗濯機も知られていた。しかも、前記給水電磁弁から吐出してきた水道水の一部を前記自吸式吸水ポンプ装置の呼び水用管体に導くには、前記給水電磁弁の二次側と自吸式吸水ポンプ装置の呼び水用管体を直結することは法律により禁じられているため、通常、水道水栓に直結された給水電磁弁から吐出された水道水が、開放状態で所定の管路を介して前記自吸式吸水ポンプ装置の呼び水用管体内に注入されるようにしていた（例えば、特許文献１参照）。
【０００４】
【特許文献１】特開２００４−２９１５８１（段落番号００２１〜００２４、図５〜図６）
【発明の開示】
【発明が解決しようとする課題】
【０００５】
ところが、近年、自吸式吸水ポンプ装置を具備した洗濯機にもかかわらず、自吸式吸水ポンプ装置を運転させることなく、かつ、自吸式吸水ポンプ装置の吸込み室に風呂水などの洗濯利用水を吸い込ませる吸込み用管体に吸水ホースを連結することなく、給水電磁弁を作動させることで、水道水のみを洗濯槽内に給水させる使い方を希望する洗濯機購入者が増えてきている。
【０００６】
そのために、上述のような使い方により、自吸式吸水ポンプ装置の呼び水用管体から流入してきた水道水で、気水分離室、ポンプランナー室及び吸込み室内が満たされてくると、逆止弁が開いた状態となることがあり、自吸式吸水ポンプ装置の吸込み用管体から水道水を溢れ出させてしまうという事故が発生していた。
【０００７】
本発明は、上述のような従来技術による現状に鑑みてなされたもので、その目的は、自吸式吸水ポンプ装置を運転させることなく、かつ、自吸式吸水ポンプ装置の吸込み室に水道水以外の洗濯利用水を吸い込ませる吸込み用管体に吸水ホースを接続しない状態で、給水電磁弁を作動させて水道水の一部を自吸式吸水ポンプ装置の呼び水用管体に流入させても、洗濯利用水を吸い込ませための吸込み用管体から水道水を溢れ出させることのない自吸式吸水ポンプ装置及び自吸式吸水ポンプ装置を具備した洗濯機を提供することにある。
【課題を解決するための手段】
【０００８】
上記目的を達成するために、本発明は、モータを収納するモータ収納室と、前記モータの回転軸に連結させたポンプランナーを収納するポンプランナー室と、洗濯利用水を前記ポンプランナー室に導く吸込み室と、前記ポンプランナー室から送られてきた呼び水に含まれる空気を分離する気水分離室と、前記吸込み室に洗濯利用水を吸い込ませる吸込み用管体と、前記気水分離室に自吸用の呼び水を給水させる呼び水用管体と、前記ポンプランナー室から送られてきた前記洗濯利用水を外部に吐出させる吐出用管体と、前記吸込み用管体の出口側に設けられて前記洗濯利用水の逆流を防止するための逆止弁と少なくとも具備し、前記吸込み用管体の出口側開口縁を、その出口側開口縁の下側が前方に突出した状態となるように傾斜させた自吸式吸水ポンプ装置において、前記ポンプランナーの回転時にそのポンプランナーの回転により発生した負圧によって前記逆止弁の弁体部が前記吸込み用管体の出口側開口縁から離れた状態となって、かつ、前記ポンプランナーの停止時に前記逆止弁の弁体部が前記吸込み用管体の出口側開口縁に押圧させられる状態にする押圧力を前記逆止弁に働かせるところの押付手段を、前記逆止弁に設けるようにしたことを特徴としている。
【０００９】
さらに、本発明は、前記押付手段をコイルばねとすると共に、前記逆止弁における前記吸込み用管体の出口側開口縁に押圧する面とは反対側の面に筒状突起部を一体に設け、しかも、前記コイルばねの一端側を前記筒状突起部の外周若しくは内周に着脱可能に嵌合させ、かつ、前記コイルばねの他端側を前記吸込み室の内壁に圧接させることで、前記逆止弁にコイルばねを装着させるようにしたことを特徴としている。
【００１０】
さらに、本発明は、前記押付手段をコイルばねとすると共に、前記逆止弁における前記吸込み用管体の出口側開口縁に押圧する面とは反対側の面に筒状凹部を設け、しかも、前記コイルばねの一端側を前記筒状凹部の内周に着脱可能に嵌合させ、かつ、前記コイルばねの他端側を前記吸込み室の内壁に圧接させることで、前記逆止弁にコイルばねを装着させるようにしたことを特徴としている。
【００１１】
さらに、本発明は、前記吸込み用管体の出口側開口縁を楕円形状にし、かつ、その出口側開口縁の形状に合わせて前記逆止弁の弁体部分の形状を楕円形状にすると共に、前記押付手段を楕円筒状コイルばねとし、かつ、前記逆止弁における前記吸込み用管体の出口側開口縁に押圧する面とは反対側の面に楕円筒状突起部を設け、しかも、前記楕円筒状コイルばねの一端側を前記楕円筒状突起部の内周若しくは外周に着脱可能に嵌合させ、かつ、前記楕円筒状コイルばねの他端側を前記吸込み室の内壁に圧接させることで、前記逆止弁に楕円筒状コイルばねを装着させるようにしたことを特徴としている。
【００１２】
さらに、本発明は、前記吸込み用管体の出口側開口縁を楕円形状にし、かつ、その出口側開口縁の形状に合わせて前記逆止弁の弁体部分の形状を楕円形状にすると共に、前記押付手段を楕円筒状コイルばねとし、かつ、前記逆止弁における前記吸込み用管体の出口側開口縁に押圧する面とは反対側の面に楕円筒状凹部を設け、しかも、前記楕円筒状コイルばねの一端側を前記楕円筒状凹部の内周に着脱可能に嵌合させ、かつ、前記楕円筒状コイルばねの他端側を前記吸込み室の内壁に圧接させることで、前記逆止弁に楕円筒状コイルばねを装着させるようにしたことを特徴としている。
【００１３】
さらに、本発明は、前記押付手段を、逆止弁の弁体部内にインサート成形した比重の大きい重り部材若しくは前記吸込み用管体の出口側開口縁に押圧する部分以外の部分に貼着した比重の大きい重り部材としたことを特徴としている。
【００１４】
さらに、本発明は、上記目的を達成するために、洗濯槽内に水道水を給水するために水道水栓に連結される給水電磁弁と、この給水電磁弁から流出してきた水道水を前記洗濯槽内に導く水道水案内部材と、風呂水を前記洗濯槽内に給水する自吸式吸水ポンプ装置とを少なくとも具備し、かつ、前記給水電磁弁から流出してきた水道水の一部を前記自吸式吸水ポンプ装置の呼び水として利用すると共に、前記自吸式吸水ポンプ装置の吐出用管体から流出してきた洗濯利用水を前記洗濯槽内に導くようにした洗濯機において、前記自吸式吸水ポンプ装置を、モータを収納するモータ収納室と、前記モータの回転軸に連結させたポンプランナーを収納するポンプランナー室と、洗濯利用水を前記ポンプランナー室に導く吸込み室と、前記ポンプランナー室から送られてきた呼び水に含まれる空気を分離する気水分離室と、前記吸込み室に洗濯利用水を吸い込ませる吸込み用管体と、前記気水分離室に自吸用の呼び水を給水させる呼び水用管体と、前記ポンプランナー室から送られてきた前記洗濯利用水を外部に吐出させる吐出用管体と、前記吸込み用管体の出口側開口縁に設けられて前記洗濯利用水の逆流を防止するための逆止弁と、前記ポンプランナーの回転時にそのポンプランナーの回転により発生した負圧により前記逆止弁の弁体部が前記吸込み用管体の出口側開口縁から離れた状態となって、かつ、前記ポンプランナーの停止時に前記逆止弁の弁体部が前記吸込み用管体の出口側開口縁に押圧させられる状態にする押圧力を前記逆止弁に働かせるところの押付手段とを少なくとも具備し、前記吸込み用管体の出口側開口縁を、その出口側開口縁の下側が前方に突出した状態となるように傾斜させる構成としたことを特徴としている。
【発明の効果】
【００１５】
本発明によれば、ポンプランナーの回転時にそのポンプランナーの回転により発生した負圧によって逆止弁の弁体部が前記吸込み用管体の出口側開口縁から確実に離れて逆止弁が難なく開放状態となるので、ポンプ性能を低下させることがないと共に、ポンプランナーの停止時に逆止弁の弁体部が吸込み用管体の出口側開口縁に強く押圧させられて逆止弁が確実に閉鎖状態（封止状態）となるので、ポンプランナーの停止時に、呼び水用管体から吸込み室に流入した水道水を、自吸式吸水ポンプの吸込み用管体から溢れ出させることを阻止し得る自吸式吸水ポンプ装置及び洗濯機を提供することができる。
【発明を実施するための最良の形態】
【００１６】
以下、本発明の一実施形態を、図１〜図１２に基づき、詳説する。
【００１７】
図において、自吸式吸水ポンプ装置１は、合成樹脂製の本体ケース２を有し、その本体ケース２内を、モータ３を収納するモータ収納室４と、モータ３の回転軸３Ａに連結させたポンプランナー５を収納するポンプランナー室６と、風呂水などの洗濯利用水Ｗ２をポンプランナー室６に導く吸込み室７と、ポンプランナー室６から送られてきた水道水などの呼び水Ｗ１に含まれる空気を分離する気水分離室８とに区画すると共に、本体ケース２に、吸込み室７に風呂水などの洗濯利用水Ｗ２を吸い込ませる吸込み用管体９と、気水分離室８に自吸用の水道水からなる呼び水Ｗ１を給水させる呼び水用管体１０と、ポンプランナー室６から送られてきた洗濯利用水Ｗ２を外部に吐出させる吐出用管体１１と、吸込み用管体９の出口側９Ａに設けられて洗濯利用水Ｗ２の逆流を防止する逆止弁１２とを具備している（図１及び図２参照）。
【００１８】
本体ケース２は、図２及び図３に示すように、２分割の第１ケース２Ａと第２ケース２Ｂとからなっている。第１ケース２Ａと第２ケース２Ｂとは、複数個のねじ１３で一体化される。第１ケース２Ａと第２ケース２Ｂとの間には、水密用パッキング１４が設けられている。第１ケース２Ａには、モータ収納室４と気水分離室８を構成する主たる空間２Ａ−１とが形成されている。第２ケース２Ｂには、合成樹脂製の仕切り板１５によって仕切られる吸込み室７とポンプランナー室６が形成される。仕切り板１５は、第１ケース２Ａと第２ケース２Ｂとが複数個のねじ１３で一体化することにより、第１ケース２Ａと第２ケース２Ｂによって挟持固定されるようにしてある。仕切り板１５と第２ケース２Ｂとの間には、ゴム製の水密用パッキング１６が設けられている。
【００１９】
第１ケース２Ａと第２ケース２Ｂが一体化した状態では、第１ケース２Ａの側面と仕切り板１５に一体に設けたケーシング１５Ａによって仕切られるポンプランナー室６と、吸込み用管体９の出口側９Ａからの洗濯利用水Ｗ２を仕切り板１５に設けたポンプランナー室流入用開口１５Ｂに導くための吸込み室７とが形成されると共に、第１ケース２Ａの上部に形成した空間２Ａ−１と、第２ケース２Ｂの上部に形成した空間２Ｂ−１とによって仕切り板１５の外周に形成した水通路１５Ｃに連通された気水分離室８が形成される。仕切り板１５の上部には、吸込み用管体９の出口側９Ａに対向させて逆止弁１２の開閉ストロークを確保するための袋状凹部１５Ｄが一体に設けられている。
【００２０】
第２ケース２Ｂには、図１に示すように、第２ケース２Ｂの上面に位置して縦方向に延びる吸込み用管体９と、第２ケース２Ｂの側面上部に位置して横方向に延びる呼び水用管体１０と、第２ケース２Ｂの側面上部に位置して呼び水用管体１０と同方向に延びる吐出用管体１１とが形成されている。呼び水用管体１０及び吐出用管体１１は、吸込み用管体９の吸水ホース接続部９Dよりも下方に配置させてある。吸込み用管体９の出口側９Ａには、図２〜図５に示すように、逆止弁１２が押圧される出口側開口縁９Ｂが形成されている。出口側開口縁９Ｂは、その出口側開口縁９Ｂの下側が前方に突出した状態となるように傾斜させてある。吸込み用管体９の入口側９Ｃには、吸水ホース１７を接続するための、吸水ホース接続部９Ｄが形成されている。吸水ホース接続部９Ｄと出口側開口縁９Ｂとの間は、断面形状が横長楕円状の連通路部９Ｅで、接続されている。第２ケース２Ｂの内壁には、図４に示すように、複数個の気水分離板１８、１８Ａ、１８Ｂと、仕切り板１５が水密用パッキング１６を介して圧接する仕切りリブ１９と、逆止弁１２を着脱可能に取り付けるための逆止弁用取り付け嵌合リブ２０が形成されている。仕切りリブ１９の全周には、水密用パッキング１６が嵌め込まれる溝１９Ａが設けられている。
【００２１】
逆止弁１２は、ゴム製であって、図７及び図８に示すように、横長楕円状の弁体部１２Ａと、この弁体部１２Ａの上側に一体的に形成された取付け片部１２Ｂと、弁体部１２Ａが出口側開口縁９Ｂに押圧される面とは反対側の面に一体的に形成された横長の楕円筒状突起部１２Ｃとからなっている。逆止弁１２には、ポンプランナー５の回転時にそのポンプランナー５の回転により発生した負圧によって逆止弁１２の弁体部１２Ａが吸込み用管体９の出口側開口縁９Ｂから離れた状態となって、かつ、ポンプランナー５の停止時に逆止弁１２の弁体部１２Ａが吸込み用管体９の出口側開口縁９Ｂに押圧させられる状態にする押圧力を逆止弁１２に働かせるところの押付手段の機能を果たす横長の楕円筒状コイルばね２１が装着される。楕円筒状コイルばね２１は、防錆性の金属製であって、図９及び図１０に示すように、一端側を楕円筒状突起部１２Ｃの外周に着脱可能に嵌合させ、かつ、他端側を吸込み室７の内壁となる袋状凹部１５Ｄの内壁に圧接させることで、逆止弁１２に装着される。楕円筒状コイルばね２１のばね定数は、ポンプランナー５の回転時にそのポンプランナー５の回転により発生した負圧によって逆止弁１２の弁体部１２Ａが吸込み用管体９の出口側開口縁９Ｂから容易に離れた状態となるように設定されている。
【００２２】
逆止弁１２は、取付け片部１２Ｂを逆止弁用取り付け嵌合リブ２０に挿入した後、仕切り板１５の吸込み室側外周端部１５Fを第２ケース２Ｂの仕切りリブ１９に水密用パッキング１６を介して圧接させることで、仕切り板１５の上部に設けた固定リブ１５Ｅに押圧されて取り付けられる。第１ケース２Ａの側面には、図３に示すように、仕切り板１５のケーシング側外周端部１５Gが圧入嵌合する嵌合溝２Ｃと、ポンプランナー５に一体的に設けた取り付け筒体５Ａを挿入する挿入穴２Ｄとが設けられている。
【００２３】
ポンプランナー５は、そのポンプランナー５の取り付け筒体５Ａを、第１ケース２Ａの側面に設けた挿入穴２Dに挿入後、その取り付け筒体５Ａをモータ３の回転軸３Ａに圧入することで、固定される。第１ケース２Ａの挿入穴２Dの内側には、第１ケース２Ａの挿入穴２Dを介してモータ３側にポンプランナー室６内の水が流入するのを阻止する軸封部材２２が設けられている。
【００２４】
上記構成の自吸式吸水ポンプ装置１によれば、風呂水などの洗濯利用水が溜まっている槽に連通させた吸水ホース１７を吸込み用管体９の入口側９Ｃに接続すると共に、呼び水用管体１０からポンプランナー室６及び吸込み室７に所定量の呼び水を給水させた後、モータ３を駆動させてポンプランナー５を高速回転させると、吸込み室７内が負圧状態になるため、楕円筒状コイルばね２１の押圧力に逆らって逆止弁１２の弁体部１２Ａが吸込み用管体９の出口側開口縁９Ｂから離れる方向に回動し、図１２のごとく逆止弁１２が開放状態となるので、吸水ホース１７内の空気が吸込み室７を経由してポンプランナー室６に流入する。ポンプランナー室６に流入した吸水ホース１７内の空気は、ポンプランナー５によって、呼び水と一緒に気水分離室８に吐き出されてその気水分離室８にて呼び水Ｗ１と分離されて外部に排出される。したがって、吸水ホース１７内の空気がなくなると、風呂水などの洗濯利用水が、吸水ホース１７、吸込み室７、ポンプランナー室６及び気水分離室８を経由して、吐出用管体１１から洗濯槽などの所定場所に送水される。
【００２５】
さらに、自吸式吸水ポンプ装置１を、吸水ホース１７を吸込み用管体９の入口側９Ｃに接続せず、かつ、ポンプランナー５を回転させずに、呼び水用管体１０及び吐出用管体１１を経由して、水道水を洗濯槽などの所定場所に流出させるような使い方をした場合には、水道水が図１１の矢印Ｐのごとく気水分離室８内に流れ込んで、吸込み室７及びポンプランナー室６に溜まってきても、楕円筒状コイルばね２１の押圧力により、逆止弁１２が吸込み用管体９の出口側開口縁９Ｂに押圧されて、図１１のごとく逆止弁１２の閉鎖状態が維持される。したがって、このような使い方をしても、吸込み室７に溜まった水道水は、吸込み用管体９内に流れ込むことがなく、吸込み用管体９の入口側９Cから外部に流出することがない。また、楕円筒状コイルばね２１は、一端側が楕円筒状突起部１２Ｃの外周に着脱可能に嵌合し、かつ、他端側が吸込み室７を構成する仕切り板１５に圧接した状態で、取り付けられているので、ポンプランナー５の回転中に、逆止弁１２から脱落することがないと共に、その楕円筒状コイルばね２１が万が一破損した場合における交換作業を難なく短時間で完了させることができる。
【００２６】
次に、自吸式吸水ポンプ装置１を洗濯機に設置した実施形態を、図１３に基づき説明する。
【００２７】
図１３に示す洗濯機２３は、洗濯槽を収納する外枠の上部に設けられたトッカバー２４と、このトッカバー２４に形成された収納空間部２５と、この収納空間部２５の上部を覆う上部カバー２６と、上部カバー２６に設けられて水道蛇口を接続するための水道栓口２７と、この水道栓口２７に接続した給水電磁弁２８と、この給水電磁弁２８から流出してきた水道水を洗濯槽内に導く水道水案内部材２９と、風呂水からなる洗濯利用水を前記洗濯槽内に給水するための上述した自吸式吸水ポンプ装置１とを、少なくとも備えている。
【００２８】
トッカバー２４に形成された収納空間部２５には、図１３に示すように、水道水案内部材２９を挟んで、左右に、給水電磁弁２８と自吸式吸水ポンプ装置１が設置されている。水道水案内部材２９は、仕切り壁２９Ａによって第１部屋２９Ａ−１と第２部屋２９Ａ−２に仕切られている。水道水案内部材２９の第１部屋２９Ａ−１には、給水電磁弁２８を連通させている。水道水案内部材２９の第１部屋２９Ａ−１には、呼び水用ホース３０により自吸式吸水ポンプ装置１の呼び水用管体１０を連通させている。水道水案内部材２９の第２部屋２９Ａ−２には、吐出用ホース３１により自吸式吸水ポンプ装置１の吐出用管体１１を連通させている。
【００２９】
呼び水用ホース３０は、一端を水道水案内部材２９の第１部屋２９Ａ−１側に設けた取り出し口２９Ｂに接着固定し、かつ、他端を呼び水用管体１０に接着固定してある。吐出用ホース３１は、一端を水道水案内部材２９の第２部屋２９Ａ−２側に設けた流出口２９Ｃに接着固定し、かつ、他端を吐出用管体１１に接着固定してある。水道水案内部材２９の第１部屋２９Ａ−１には、給水電磁弁２８から流出してきた水道水の一部が取り出し口２９Ｂから呼び水用ホース３０を介して自吸式吸水ポンプ装置１の呼び水用管体１０に導くための水道水衝突壁２９Ｄが設けられている。したがって、給水電磁弁２８から流出してきた水道水は、水道水衝突壁２９Ｄに衝突した後、そのほとんどが水道水案内部材２９の第１部屋２９Ａ−１の下方に流出して、洗濯槽内に供給されると共に、水道水の一部が取り出し口２９Ｂから呼び水用ホース３０側に流出して自吸式吸水ポンプ装置１内に供給される。また、自吸式吸水ポンプ装置１の吐出用管体１１から吐出用ホース３１を介して流出してきた風呂水などの洗濯利用水は、水道水案内部材２９の第２部屋２９Ａ−２の下方に流出して、洗濯槽内に供給される。
【００３０】
上記洗濯機２３において、風呂水槽に連通させた吸水ホース１７を吸込み用管体９の入口側９Ｃに接続した状態で、給水電磁弁２８を作動させると、水道水の一部が呼び水用ホース３０及び呼び水用管体１０を経由してポンプランナー室６及び吸込み室７に、呼び水として給水される。所定量の水道水（呼び水）を給水させた後、モータ３を駆動させてポンプランナー５を高速回転させると、吸込み室７内が負圧状態になるため、楕円筒状コイルばね２１の押圧力に逆らって逆止弁１２の弁体部１２Ａが吸込み用管体９の出口側開口縁９Ｂから離れる方向に回動し、逆止弁１２が開放状態となるので、吸水ホース１７内の空気が吸込み室７を経由してポンプランナー室６に流入する。ポンプランナー室６に流入した吸水ホース１７内の空気は、ポンプランナー５によって、水道水（呼び水）と一緒に気水分離室８に吐き出されてその気水分離室８にて水道水（呼び水Ｗ１）と分離されて外部に排出される。したがって、吸水ホース１７内の空気がなくなると、風呂水槽の風呂水が、吸水ホース１７、吸込み室７、ポンプランナー室６、気水分離室８、吐出用管体１１及び吐出用ホース３１を経由して、水道水案内部材２９の第２部屋２９Ａ−２から洗濯機２３の洗濯槽に送水される。
【００３１】
さらに、上記洗濯機２３を、吸水ホース１７を自吸式吸水ポンプ装置１の吸込み用管体９の入口側９Ｃに接続せず、かつ、ポンプランナー５を回転させずに、自吸式吸水ポンプ装置１の呼び水用管体１０及び吐出用管体１１を経由して、水道水を洗濯槽に流出させるような使い方をした場合には、水道水が吸込み室７及びポンプランナー室６に溜まってきても、楕円筒状コイルばね２１の押圧力により、逆止弁１２の弁体部１２Ａが吸込み用管体９の出口側開口縁９Ｂに押圧されて、逆止弁１２の閉鎖状態が維持される。したがって、このような使い方をしても、自吸式吸水ポンプ装置１の吸込み室７に溜まった水道水は、自吸式吸水ポンプ装置１の吸込み用管体９内に流れ込むことがなく、自吸式吸水ポンプ装置１の吸込み用管体９の入口側９Cから洗濯機２３のトッカバー２４上に流出することがない。
【００３２】
次に、本発明の他実施形態を、図１４〜図２６に基づき、詳説する。図１４〜図２６において、図１〜図１３と同一符号は同一内容を表している。
【００３３】
図１４は、本発明の他実施形態その１を示す自吸式吸水ポンプ装置４０の縦断面図である。図１４示す自吸式吸水ポンプ装置４０と図１〜図１３に示す自吸式吸水ポンプ装置１とは、前者の逆止弁４１と後者の逆止弁１２の構造が相違しているのみである。自吸式吸水ポンプ装置４０の逆止弁４１は、ゴム製であって、図１４に示すように、弁体部４１Ａと、この弁体部４１Ａの上側に一体的に形成された取付け片部４１Ｂと、弁体部４１Ａが出口側開口縁９Ｂに押圧される面とは反対側の面に一体的に形成された楕円筒状突起部４１Ｃとからなっている。そして、楕円筒状突起部４１Ｃは、その楕円筒状突起部４１Ｃの内周面に円筒状コイルばね２１の外周が着脱可能に嵌合可能な大きさとなるように設定してある。この逆止弁４１であっても、自吸式吸水ポンプ装置１の逆止弁１２と同様の効果を奏しえる。
【００３４】
図１５は、本発明の他実施形態その２を示す自吸式吸水ポンプ装置５０の縦断面図である。図１５示す自吸式吸水ポンプ装置５０と図１〜図１３に示す自吸式吸水ポンプ装置１とは、前者の逆止弁５１と後者の逆止弁１２の構造が相違しているのみである。自吸式吸水ポンプ装置５０の逆止弁５１は、ゴム製であって、図１６〜図１７に示すように、楕円形の弁体部５１Ａと、この弁体部５１Ａの上側に一体的に形成された取付け片部５１Ｂと、弁体部５１Ａが出口側開口縁９Ｂに押圧される面とは反対側の面に一体的に形成された楕円筒状凹部５１Ｃとからなっている。そして、楕円筒状凹部５１Ｃは、その楕円筒状凹部５１Ｃの内周に円筒状コイルばね２１が着脱可能に嵌合可能な大きさとなるように設定してある。この逆止弁５１であっても、自吸式吸水ポンプ装置１の逆止弁１２と同様の効果を奏しえる。
【００３５】
図１８は、本発明の他実施形態その３を示す自吸式吸水ポンプ装置６０の縦断面図である。図１９〜図２０は、自吸式吸水ポンプ装置６０に用いられる逆止弁６１を示す。図２１〜図２２は、自吸式吸水ポンプ装置６０に用いられる押付手段の機能を果たす円筒状コイルばね６２を示す。図１８に示す自吸式吸水ポンプ装置６０では、吸込み用管体６３の入口側６３Ｃと吸込み用管体６３の出口側６３Aに形成した出口側開口縁６３Ｂとの間を、断面形状が円状の連通路部６３Ｅで、連結すると共に、逆止弁６１が押圧される出口側開口縁６３Ｂの形状を円状としてある。円状の出口側開口縁６３Ｂは、その出口側開口縁６３Ｂの下側が前方に突出した状態となるように傾斜させてある。吸込み用管体６３の入口側６３Ｃには、吸水ホース１７を接続するための吸水ホース接続部６３Ｄが形成されている。
【００３６】
さらに、自吸式吸水ポンプ装置６０の仕切り板６４は、図１〜図１３に示す自吸式吸水ポンプ装置１の仕切り板１５と異なり、袋状凹部１５D及び固定リブ１５Ｅを有していない。自吸式吸水ポンプ装置６０の本体ケース６５は、２分割の第１ケース６５Ａと第２ケース６５Ｂとからなっている。第１ケース６５Ａの空間６５Ａ−１の形状は、自吸式吸水ポンプ装置１の第１ケース２Ａの空間２Ａ−１の形状と異なっている。第２ケース６５Ｂ内に形成された仕切りリブ６６は、自吸式吸水ポンプ装置１の第２ケース２Ｂ内に形成された仕切りリブ１９よりも高さ寸法（横方向に伸びている長さ）を大きく設定してある。
【００３７】
図１８に示す自吸式吸水ポンプ装置６０では、逆止弁６１を着脱可能に取り付けるための挿入部６６Ａを、仕切りリブ６６に形成するようにしている。逆止弁６１は、ゴム製であって、図１９〜図２０に示すように、円形の弁体部６１Ａと、この弁体部６１Ａの上側に一体的に形成された断面形状がＬ字状の取付け片部６１Ｂと、弁体部６１Ａが出口側開口縁６３Ｂに押圧される面とは反対側の面に一体的に形成された円筒状突起部６１Ｃとからなっている。逆止弁６１は、Ｌ字状の取付け片部６１Ｂを仕切りリブ６６の挿入部６６Ａに挿入した後、仕切り板６４の吸込み室側外周端部６４Ａを、第２ケース６５Ｂの仕切りリブ６６に圧接させることで、取り付けられる。
【００３８】
円筒状コイルばね６２は、図１〜図１３に示す自吸式吸水ポンプ装置１の楕円筒状コイルばね２１と同様に、ポンプランナー５の回転時にそのポンプランナー５の回転により発生した負圧によって逆止弁６１の弁体部６１Ａが吸込み用管体６３の出口側開口縁６３Ｂから離れた状態になり、かつ、ポンプランナー５の停止時に逆止弁６１の弁体部６１Ａが吸込み用管体６３の出口側開口縁６３Ｂに押圧させられる状態にする押圧力を逆止弁６１に働かせるところの押付手段の機能を果たす。円筒状コイルばね６２は、防錆性の金属製であって、図１８に示すように、一端側を円筒状突起部１１Ｃの外周に着脱可能に嵌合させ、かつ、他端側を吸込み室７の内壁となる仕切り板６４の内壁に圧接させることで、逆止弁６１に装着される。円筒状コイルばね６２のばね定数は、図１〜図１３に示す自吸式吸水ポンプ装置１の楕円筒状コイルばね２１と同様に、ポンプランナー５の回転時にそのポンプランナー５の回転により発生した負圧によって逆止弁６１の弁体部６１Ａが吸込み用管体６３の出口側開口縁６３Ｂから容易に離れた状態となるように設定されている。
【００３９】
図２３〜図２４は、自吸式吸水ポンプ装置６０に用いられる逆止弁７１の変形例その１を示す。逆止弁７１は、ゴム製であって、図２３〜図２４に示すように、円形の弁体部７１Ａと、この弁体部７１Ａの上側に一体的に形成された断面形状がＬ字状の取付け片部７１Ｂとからなると共に、弁体部７１Ａ内にインサート成形により比重の大きい重り部材、例えば、金属製の円板７２を埋設させることによって、弁体部７１Ａの荷重を大きくしている。また、図２５〜図２６は、自吸式吸水ポンプ装置６０に用いられる逆止弁８１の変形例その２を示す。逆止弁８１は、ゴム製であって、図２５〜図２６に示すように、円形の弁体部８１Ａと、この弁体部８１Ａの上側に一体的に形成された断面形状がＬ字状の取付け片部８１Ｂとからなると共に、弁体部８１Ａの吸込み用管体の出口側開口縁に押圧する面とは反対の面に、比重の大きい重り部材、例えば、金属板８２を貼着することにより、荷重を大きくしている。
【００４０】
上記逆止弁７１及び逆止弁８１の構造であれば、図１８に示す自吸式吸水ポンプ装置６０の円筒状コイルばね６２を使用しなくとも、図１８に示す自吸式吸水ポンプ装置６０と同様に、ポンプランナー５を回転させない状態では、逆止弁７１あるいは逆止弁８１が、それ自体の荷重で吸込み用管体６３の出口側開口縁６３Ｂに押圧されて、逆止弁７１及び逆止弁８１が確実に閉鎖状態となり、かつ、ポンプランナー５を回転させた状態では、逆止弁７１及び逆止弁８１の弁体部が吸込み用管体６３の出口側開口縁６３Ｂから円滑に離れて、逆止弁７１及び逆止弁８１が難なく開放状態となる。
【００４１】
上記実施形態の自吸式吸水ポンプ装置１、４０、５０、６０のいずれの場合においても、ポンプランナー５を回転させない状態では、逆止弁１２、４１、５１、６１、７１、８１に弁体部１２Ａ、４１Ａ、５１Ａ、６１Ａ、７１Ａ、８１Ａが押付手段により、吸込み用管体９の出口側開口縁９Ｂ若しくは吸込み用管体６３の出口側開口縁６３Ｂに押圧されて、逆止弁１２、４１、５１、６１、７１、８１が確実に閉鎖状態となる。また,ポンプランナー５を回転させた状態では、逆止弁１２、４１、５１、６１、７１、８１に弁体部１２Ａ、４１Ａ、５１Ａ、６１Ａ、７１Ａ、８１Ａが吸込み用管体９出口側開口縁９Ｂ若しくは吸込み用管体６３の出口側開口縁６３Ｂから円滑に離れて、逆止弁１２、４１、５１、６１、７１、８１が開放状態となるので、ポンプ性能を低下させることない。
【００４２】
なお、上述の洗濯機には、全自動洗濯機、二槽式洗濯機、洗濯乾燥機が含まれる。また、上述の洗濯利用水としては、風呂水以外の雨水などが含まれる。
【図面の簡単な説明】
【００４３】
【図１】本発明の一実施形態を示し、自吸式吸水ポンプ装置の外観斜視図である。
【図２】図１のＡ−Ａ断面図である。
【図３】本発明の一実施形態を示す自吸式吸水ポンプ装置を分解した状態の要部縦断面図である。
【図４】本発明の一実施形態を示す自吸式吸水ポンプ装置の第２ケースの内側側面図である。
【図５】図１のＢ−Ｂ断面図である。
【図６】本発明の一実施形態を示す自吸式吸水ポンプ装置の第２ケースの外側側面図である。
【図７】本発明の一実施形態を示す自吸式吸水ポンプ装置の逆止弁の平面図である。
【図８】図７のＣ−Ｃ断面図である。
【図９】本発明の一実施形態を示す自吸式吸水ポンプ装置の楕円筒状コイルばねの平面図である。
【図１０】本発明の一実施形態を示す自吸式吸水ポンプ装置の楕円筒状コイルばねの側面図である。
【図１１】本発明の一実施形態を示す逆止弁が閉じている状態の自吸式吸水ポンプ装置の要部縦断面図である。
【図１２】本発明の一実施形態を示す逆止弁が開いている状態の自吸式吸水ポンプ装置の要部縦断面図である。
【図１３】本発明の一実施形態を示す自吸式吸水ポンプ装置を搭載してなる洗濯機の要部縦断面図である。
【図１４】本発明の他実施形態その１を示す自吸式吸水ポンプ装置の要部縦断面図である。
【図１５】本発明の他実施形態その２を示す自吸式吸水ポンプ装置の要部縦断面図である。
【図１６】本発明の他実施形態その２を示す自吸式吸水ポンプ装置に用いられる逆止弁の拡大平面図である。
【図１７】図１６のＤ−Ｄ断面図である。
【図１８】本発明の他実施形態その３を示す自吸式吸水ポンプ装置の要部縦断面図である。
【図１９】本発明の他実施形態その３を示す自吸式吸水ポンプ装置に用いられる逆止弁の拡大平面図である。
【図２０】図１９のＥ−Ｅ断面図である。
【図２１】本発明の他実施形態その３を示す自吸式吸水ポンプ装置に用いられる円筒状コイルばねの平面図である。
【図２２】本発明の他実施形態その３を示す自吸式吸水ポンプ装置に用いられる円筒状コイルばねの側面図である。
【図２３】本発明の他実施形態その３を示す自吸式吸水ポンプ装置に用いられる逆止弁の変形例その１の拡大平面図である。
【図２４】図２３のＦ−Ｆ断面図である。
【図２５】本発明の他実施形態その３を示す自吸式吸水ポンプ装置に用いられる逆止弁の変形例その２の拡大平面図である。
【図２６】図２５のＧ−G断面図である。
【符号の説明】
【００４４】
１    自吸式吸水ポンプ装置
２    本体ケース
２Ａ  第１ケース
２Ａ−１  空間
２Ｂ  第２ケース
２Ｂ−１  空間
２Ｃ  嵌合溝
２Ｄ  挿入穴
３    モータ
３Ａ  回転軸
４    モータ収納室
５    ポンプランナー
５Ａ  取り付け筒体
６    ポンプランナー室
７    吸込み室
８    気水分離室
９    吸込み用管体
９Ａ  出口側
９Ｂ  出口側開口縁
９Ｃ  入口側
９Ｄ  吸水ホース接続部
９Ｅ  連通路部
１０  呼び水用管体
１１  吐出用管体
１２  逆止弁
１２Ａ  弁体部
１２Ｂ  取付け片部
１２Ｃ  楕円筒状突起部
１３  ねじ
１４  水密用パッキング
１５  仕切り板
１５Ａ  ケーシング
１５Ｂ  ポンプランナー室流入用開口
１５Ｃ  水通路
１５Ｄ  袋状凹部
１５Ｅ  固定リブ
１５F  吸込み室側外周端部
１５G  ケーシング側外周端部
１６  水密用パッキング
１７  吸水ホース
１８、１８Ａ、１８Ｂ  気水分離板
１９  仕切りリブ
１９Ａ  溝
２０  逆止弁用取り付け嵌合リブ
２１  楕円筒状コイルばね（押付手段）
２２  軸封部材
２３  洗濯機
２４  トッカバー
２５  収納空間部
２６  上部カバー
２７  水道栓口
２８  給水電磁弁
２９  水道水案内部材
２９Ａ  仕切り壁
２９Ａ−１  第１部屋
２９Ａ−２  第２部屋
２９Ｂ  取り出し口
２９Ｃ  流出口
３０  呼び水用ホース
３１  吐出用ホース
４０  自吸式吸水ポンプ装置（他実施形態その１）
４１  逆止弁
４１Ａ  弁体部
４１Ｂ  取付け片部
４１Ｃ  楕円筒状突起部
５０  自吸式吸水ポンプ装置（他実施形態その２）
５１  逆止弁
５１Ａ  弁体部
５１Ｂ  取付け片部
５１Ｃ  楕円筒状凹部
６０  自吸式吸水ポンプ装置（他実施形態その３）
６１  逆止弁
６１Ａ  円形の弁体部
６１Ｂ  Ｌ字状の取付け片部
６１Ｃ  円筒状突起部
６２  円筒状コイルばね
６３  吸込み用管体
６３Ａ  出口側
６３Ｂ  出口側開口縁
６３Ｃ  入口側
６３Ｄ  吸水ホース接続部
６３Ｅ  連通路部
６４  仕切り板
６４Ａ  吸込み室側外周端部
６５  本体ケース
６５Ａ  第１ケース
６５Ａ−１  空間
６５Ｂ  第２ケース
６６  仕切りリブ
６６Ａ  挿入部
７１  逆止弁（変形例その１）
７１Ａ  円形の弁体部
７１Ｂ  Ｌ字状の取付け片部
７２  円板
８１  逆止弁（変形例その１）
８１Ａ  円形の弁体部
８１Ｂ  Ｌ字状の取付け片部
８２  金属板
【図１】
2006144620.tif 000003
【図２】
2006144620.tif 000004
【図３】
2006144620.tif 000005
【図４】
2006144620.tif 000006
【図５】
2006144620.tif 000007
【図６】
2006144620.tif 000008
【図７】
2006144620.tif 000009
【図８】
2006144620.tif 000010
【図９】
2006144620.tif 000011
【図１０】
2006144620.tif 000012
【図１１】
2006144620.tif 000013
【図１２】
2006144620.tif 000014
【図１３】
2006144620.tif 000015
【図１４】
2006144620.tif 000016
【図１５】
2006144620.tif 000017
【図１６】
2006144620.tif 000018
【図１７】
2006144620.tif 000019
【図１８】
2006144620.tif 000020
【図１９】
2006144620.tif 000021
【図２０】
2006144620.tif 000022
【図２１】
2006144620.tif 000023
【図２２】
2006144620.tif 000024
【図２３】
2006144620.tif 000025
【図２４】
2006144620.tif 000026
【図２５】
2006144620.tif 000027
【図２６】
2006144620.tif 000028